(57)【要約】【課題】  ロールペーパーの収納と補給を一括して行える。  なお、ロールペーパーの残量に応じた摩擦抵抗により、片手でも引き出し過ぎを防ぎ、また、残量確認と使用後のロール芯の取り出しが簡単にできる。  さらに、片手でもスムーズにロールペーパーの切断が簡単にでき、その上、切断後につかみ代が残るように切断部を配置する。  安全性と取り扱性の良い補充部を設けたロールペーパーホルダーを提供する。【解決手段】ホルダーの上部に補充収納部１０を設け、回動板７上部に補充用ロールペーパー保持部７２と、該少し下部左右両側に係合突起７３を設け、該少し下部左右両側に係合突起７４と、下端部には切断部７１を設ける。  右側板３に穴部３１と左側板４に穴部４１を設けて、底部には背板２に平行に複数の摩擦抵抗調節用保持部８を設ける。【選択図】  図２
2005118515.tif 000002
【特許請求の範囲】
【請求項１】
背板（２）と右側板（３）と左側板（４）と前板（６）で構成され、略下方部に複数の保持部（８）を設けたものであり、前方向に回動板（７）を設け、なお、該回動板（７）端部に切断部（７１）と係合部（３３）、（４３）を設けたものであり、略下方部引き出し口（５１）からロールペーパーを引き出すことを特徴とする補充部を設けたロールペーパーホルダー。
【請求項２】
右側板と左側板の略下方部に穴部（３１）、（４１）を設けたことで使用済みのロール芯を左右どちら側からでも取り出すことを特徴とする請求項１記載の補充部を設けたロールペーパーホルダー。
【請求項３】
上部にロールペーパー補充収納部（１０）を設け、回動板の上端部に補充用ロールペーパー（１１）を収納するロールペーパー保持部（７２）を設けたことを特徴とする請求項１、２記載の補充部を設けたロールペーパーホルダー。
【発明の詳細な説明】
【技術分野】
【０００１】  本発明は、トイレットペーパーやペーパータオル等、ロールペーパーホルダーに関するものであり、特にロールペーパーの補充収納部と切断部を設け、なお、ロールペーパーの残量に適した摩擦抵抗により引き出しが簡単にでき、残量確認もできる。
また、切断後につかみ代が残るロールペーパーホルダーに関する。
【背景技術】
【０００２】  従来のロールペーパーホルダーにあっては、ロールペーパーの補充、芯取り出しはレバー操作になっている物や自然落下はあるが、装置が複雑でコストが高く１台で挿入、補充、つかみ代ができて、片手でも簡単に操作できるものがなかった。
【発明の開示】
【特許文献１】実開平５−５１１９４号（紙巻器）
【特許文献２】実開平５−８０３９５号（トイレットペーパー保持具）
【特許文献３】実開平６−１９６９４号（ロール巻トイレットペーパー収納具）
【特許文献４】特開平１０−３２３２９９号（ロール紙切断装置）がある。
【０００３】  従来のロールペーパーホルダーにあっては、ロールペーパーを切断後は、再使用する場合ロールペーパーを引き出すつかみ代がない欠点があった。
【０００４】  使用後のロール芯は、下部の芯受けに落下するようになっているが、芯受けから取り出す場合に掴み難い欠点がある。
何故なら、芯受けの取り出し口が狭いので、手を差し入れて掴もうとしても、ロール芯が空転して掴み難く取り出し難いのである。
【０００５】  補充用ロールペーパーは、糊付けをほぐし補充収納部に入れておいて、使用中のロールペーパーがなくなった場合に操作レバーを押し下げて、新しいロールペーパーを補充しなければならないが、身体障害者や子供は操作レバーが重くて押し下げ難い欠点がある。
何故なら、操作レバーの押し手部分が小さくて、押し下げるに充分な力が出せない為である。
【発明が解決しようとする課題】
【０００６】  回動板の左右両側面上下２カ所に回動板を係合する為の係合突起を設け、左右両側板の前方内側に回動板の係合突起を子供でも簡単に係合できるように挿入溝を設け、該挿入溝を縦長穴形の係合部に連通挿入し係合することである。
なお、本体下部にロールペーパーの使用状態により大容量から小容量まで引き出し抵抗を適宜自動的に調節できる複数の摩擦抵抗調節用回転筒を設けることにより、ロールペーパーを引き出し易くする操作性を向上さすことである。
【０００７】  使用後に残った取り出し難いロール芯の取り出し作業を簡素化し、ロールペーパーの残量が一目瞭然で簡単に確認できるように左右両側下部中央に縦長穴部を設けることにより、ロール芯の取り出し作業を向上させることである。
【０００８】  本体上部に上蓋を開けて簡単に挿入するだけで補充用ロールペーパーを収納できる収納部を設け、回動板の上部先端に補充用ロールペーパーの保持部を設けることにより、大きな回動板を上下移動さすことにより、簡単かつ素早く補充できるようにする操作性を向上することで、障害者や子供でも簡単に使用できるようにすることである。
【課題を解決するための手段】
【０００９】  上記目的を達成するために、本発明のロールペーパーホルダーにおいては、背板２と右側板３と左側板４と前板６で構成され、略下方部に複数の保持部８を設けたものであり、前方向に回動板７を設け、なお、該回動板７端部に切断部７１と係合部３３、４３を設けたものであり、略下方部引き出し口５１からロールペーパーを引き出すことを特徴とするものである。
【００１０】  右側板と左側板の略下方部に穴部３１、４１を設けたことで使用済みのロール芯を左右どちらからでも取り出すことを特徴とするものである。
【００１１】  上部にロールペーパー補充部１０を設け、回動板７の上端部に補充用ロールペーパー１１を収納するロールペーパー保持部７２を設けたことを特徴とするものである。
【発明の効果】
【００１２】  本発明は、以上説明したように構成されているので、以下に記載されるような効果を奏する。
【００１３】  回動板の左右両側面上下２カ所に係合突起を設け、左右両側板の前方内側に係合突起の挿入溝を設けた結果、子供でも簡単に係合操作ができるようになった。
なお、本体下部に複数の摩擦抵抗調節用回転筒を設けることにより、ロールペーパーの大容量から小容量まで出し過ぎることもなく、均等に引き出しやすくなり操作性が向上した。
その上、回動板先端部が外側に湾曲しているためにロールペーパーの先端が切断後に自然落下することにより、引き出し易いつかみ代ができ使用が楽になり、不潔な手でする三角折り等の手間が不必要になった。
【００１４】  従来のロール芯取り出しは、芯受けから前方に取り出していたが左右両側板下部に縦長形穴部を設けたことにより、使用後のロール芯を取り出す操作が簡素化できた。
なお、該穴部から使用状態が目視できるためにロールペーパーの残量が一目瞭然で簡単に確認できるようになった。
【００１５】  本体上部に補充用ロールペーパー収納部を設け、回動板の上部先端に補充用ロールペーパー保持部を設けることにより、上蓋を開けて簡単にロールペーパーを挿入するだけで複数個挿入して積み上げても、補充操作が大きな回動板を持ち上下移動する操作だけで自然に落下するので簡単かつ素早く補充でき操作性が向上した。
そのため、障害者や子供でも片手で補充操作が簡単にできるようになった。
【発明を実施するための最良の形態】
【００１６】  図２において、ペーパーホルダー左右両側下部にロール芯より少し大きめで取り出し用の縦長形穴部３１、４１を設け、該両側面下部に保持部８を設ける。【００１７】  図２において、回動板７の下部を外側に湾曲させた先端に切断部７１を設け、本体前面下部に背板２に平行に直系略６ｍｍ位の案内ローラー９を設け、該案内ローラー９と回動板７の間に少し透き間を空けて引き出し口５１を設ける。【００１８】  図２において、回動板７上部左右両側に係合突起７３を設け、上下移動するように左右両側板に縦長穴型の案内溝３２、４２を設ける。
該回動板下部左右両側に係合突起７４が前後上下運動するように左右両側板に斜めに連通する挿入溝と縦長穴形係合部３３、４３を設ける。【００１９】  図４において、回動板７の上部を係合突起７３から内角略１５０°Ｅ内側へ、への字型に折り曲げ、補充用ロールペーパー１１を保持するロールペーパー保持部７２を設け、該先端部を９０°Ｄ折り曲げる。【００２０】  図４において、回動板７の下部を外側に湾曲させ少し上部に係合突起７４を設け、該係合突起７４を挿入できるよう左右両側に縦長穴形係合部３３、４３を設ける。【００２１】  図６において、複数個のロールペーパー補充収納部１０を確保するためには長手方向に延長すればよい。
【実施例１】
【００２２】  図１において、背板２と左右両側板３、４とで三方を囲い、回動性の上蓋１を取り付け、該端部に設けた上蓋の係合部に前板６を取り付け、該下部内側に空間を確保し回動板７の下部先端には外側へ湾曲した切断部７１を設け、両側板下部に縦長形の穴部３１を設ける。
本体下部前方にロールペーパー引き出し口５１を備える。【００２３】  図２に示される実施例では、上蓋１はロールペーパーを挿入し易いように開口部を設け前板６を設ける。
なお、回動板７の上部に案内溝３２、４２の上部に回動可能な空間を確保し、下部係合部３３、４３の内側に引き出し口５１を設け、該内側に案内ローラー９を設け、ロールペーパー１２を引き出し易くする。【００２４】  図３に示される実施例で、右側板を外したときの左半分側面において、長手方向で短径４０ｍｍ、長径６０ｍｍの縦長形をした穴部４１を設け、内側を外側より少し大きめでロール芯を取り出しやすいようにテーパー状にする。
なお、保持部８ａ、８ｂはロール芯が落下しない程度略４０ｍｍの間隔で背板２に平行の支持軸８１を係合する。
また、該保持部８１は回転可能にしても良い。【００２５】  さらに、支持軸８１を消音用の緩衝材８２で覆い、その外周に緩衝材８２の略２倍の内径の管を通し摩擦抵抗調節用回転筒８３を設ける。
その上、係合部３３、４３より少し内側にロールペーパーを繰り出すための案内ローラー支持部３９、４９を設ける。【００２６】  図４に示される実施例では、回動板７の上部左右両側に係合突起７３を設け、略３５ｍｍを内角略１５０°Ｅ内側へ、への字型に折り曲げ、該先端を略１０ｍｍ略９０°Ｄ折り曲げる。
左右側板には案内溝３２、４２を設け、上方向に突き上げると、係合突起７４はＡ１、Ａ２、Ａ３に移動し、係合突起７３はＢ２、Ｂ１、Ｂ２に移動する構造にし、通常は係合突起７３はＢ２、係合突起７４は係合部４３のＡ３で係合するようにする。【００２７】  図５に示される実施例では、ロールペーパー１２を使用後に補充用ロールペーパー１１を補充するために回動板７をｃからａに回動することにより、ロールペーパー保持部７２はｃ１よりａ１に移動して、補充ロールペーパー１１がロールペーパー１２の位置に落下する。【００２８】  次の補充用ロールペーパー１１は、落下したロールペーパーに接触しているが、回動板７をｂからｃに回動することにより、ロールペーパー保持部７２は、ｂ１からｃ１まで移動し、補充用ロールペーパー１１が補充収納部１０に納まる。
【実施例２】
【００２９】  図３に示される実施例では、芯があるロールペーパーを使用する場合は底板５は不要であるが、芯なしロールペーパーを使用する場合は残量直径が略３５ｍｍ位になると落下してしまうので空間を塞ぐために前端部を上方向に湾曲した底板５を取り付けなければならない。
【実施例３】
【００３０】  図６に示される実施例では、補充用ロールペーパーＲ１、Ｒ２等、上方向に延長すれば複数個収納できる大きさにできる。
【実施例４】
【００３１】  図７に示される実施例では、回動板７の略中央内側に金属片７５を設け、左右側板３、４の前方下部に磁石３４、４４を設けることにより、回動板７を係合できる。
【産業上の利用可能性】
【００３２】  この発明のロールペーパーホルダーは、厨房、トイレ等には必ず必要なものである。
その上、挿入、補充、切断、つかみ代等が片手でも操作できるものでありホテル、食堂、レストラン、一般家庭でも幅広く採用される可能性がある。
【図面の簡単な説明】
【００３３】
【図１】斜視図である。
【図２】側面図である。
【図３】要部の拡大図である。
【図４】回動板の拡大説明図である。
【図５】要部の説明図である。
【図６】補充用ロールペーパー複数個用側面図である。
【図７】他の実施例図である。
【符号の説明】
【００３４】１    上蓋
１Ａ  上蓋支点
２    背板
３    右側板
４    左側板
５    底板
６    前板
７    回動板
８    保持部
８ａ  保持部
８ｂ  保持部
９    案内ローラー
１０  補充収納部
１１  補充用ロールペーパー
１２  ロールペーパー
１３  つかみ代
１４  ロール芯
３１  穴部
３２  案内溝
３３  係合部
３４  磁石
３９  案内ローラー支持部
４１  穴部
４２  案内溝
４３  係合部
４４  磁石
４９  案内ローラー支持部
５１  引き出し口
７１  切断部
７２  ロールペーパー保持部
７３  係合突起
７４  係合突起
７５  金属片
８１  支持軸
８２  緩衝材
８３  回転筒
Ｒ１  第１補充用ロールペーパー
Ｒ２  第２補充用ロールペーパー
【図１】
2005118515.tif 000003
【図２】
2005118515.tif 000004
【図３】
2005118515.tif 000005
【図４】
2005118515.tif 000006
【図５】
2005118515.tif 000007
【図６】
2005118515.tif 000008
【図７】
2005118515.tif 000009